(57)【要約】【課題】  低コストで、良好なエージング特性を備えると共に小型化を図ることができる水晶発振器を提供する。【解決手段】  水晶振動子Ｘの一端にトランジスタＴｒが接続された水晶発振器であって、水晶振動子Ｘの他端に、経時変化によって静電容量が低下するエージング特性調整用コンデンサＣ１０を備え、エージング特性調整用コンデンサＣ１０が、経時変化によって発振周波数が変動する水晶振動子Ｘのエージング特性を相殺するよう調整されている水晶発振器であり、また、調整用コンデンサＣ１０がバリキャップダイオードである水晶発振器としている。【選択図】        図１
2015035732.tif 000002
【特許請求の範囲】
【請求項１】
水晶振動子と、前記水晶振動子の一端に接続し、前記水晶振動子の出力信号を増幅するトランジスタとを備えた水晶発振器であって、
経時変化によって容量が低下する特性を備え、前記水晶振動子の他端に接続するエージング特性調整用コンデンサを設け、
前記エージング特性調整用コンデンサが、経時変化によって発振周波数が変動する前記水晶振動子のエージング特性を相殺するよう調整されていることを特徴とする水晶発振器。
【請求項２】
エージング特性調整用コンデンサは、バリキャップダイオードであることを特徴とする請求項１記載の水晶発振器。
【請求項３】
エージング特性調整用コンデンサは、複数の直列接続のコンデンサ又は複数の並列接続のコンデンサ若しくはそれらの組み合わせで構成されていることを特徴とする請求項１記載の水晶発振器。
【請求項４】
複数のコンデンサの内のいずれかをバリキャップダイオードとしたことを特徴とする請求項３記載の水晶発振器。
【請求項５】
エージング特性調整用コンデンサは、セラミックコンデンサ、電解コンデンサ、タンタルコンデンサ、マイラコンデンサ、フィルムコンデンサのいずれかであることを特徴とする請求項１乃至４のいずれか記載の水晶発振器。
【発明の詳細な説明】
【技術分野】
【０００１】
本発明は、水晶発振器に係り、特に良好なエージング特性を備えると共に、低コストで、小型化を図ることができる水晶発振器に関する。
【背景技術】
【０００２】
［先行技術の説明］
従来、水晶発振器の経時変化による出力周波数の変化（エージング特性）を小さく抑えようとすると、水晶振動子のブランクや電極、サポートや封止、パッケージに至るまで経時変化の小さい高安定仕様の材料を用いて、経時変化の小さい製造方法で製造することが必要となっている。
【０００３】
ところで、水晶発振器は、用途によって小型化及び表面実装化が要求されるものがあり、小型化及び表面実装化に対応すると、搭載される水晶振動子によってエージング特性が良好ではないものがある。
【０００４】
そのような水晶発振器においてエージング特性を補正する技術も知られているが、システムＩＣやＲＯＭ（Read Only Memory）等を使用した回路によって実現されるため、高価で、回路規模が大きく、小型化の妨げになる。
【０００５】
［関連技術］
尚、水晶発振器のエージング特性を良好にする技術としては、特開２００１−３０８６４１号公報「圧電発振器」（東洋通信機株式会社、特許文献１）、特開２００８−１７８０４０号公報「発振器」（日本電波工業株式会社、特許文献２）がある。
【０００６】
特許文献１には、圧電発振器において、リミッタ回路が、負荷容量の端子間インピーダンスを制御することにより、優れた経年時特性とすることが記載されている。
特許文献２には、発振器の帰還ループに、インダクタンスとバリキャップダイオードから成る周波数選択回路を設け、バリキャップダイオードの容量を制御することにより、発振器の経時変化に応じて負性抵抗を調整することが記載されている。
【先行技術文献】
【特許文献】
【０００７】
【特許文献１】特開２００１−３０８６４１号公報
【特許文献２】特開２００８−１７８０４０号公報
【発明の概要】
【発明が解決しようとする課題】
【０００８】
上述したように、従来の水晶発振器では、良好なエージング特性を備え、且つ小型化を図ることができる水晶発振器を低コストで実現することは困難であるという問題点があった。
【０００９】
尚、特許文献１及び特許文献２には、水晶振動子の接地端子側に、水晶振動子のエージング特性を相殺するような容量抜け特性を備えたコンデンサを備えることは記載されていない。
【００１０】
本発明は上記実状に鑑みて為されたもので、低コストで、良好なエージング特性を備えると共に小型化を図ることができる水晶発振器を提供することを目的とする。
【課題を解決するための手段】
【００１１】
上記従来例の問題点を解決するための本発明は、水晶振動子と、水晶振動子の一端に接続し、水晶振動子の出力信号を増幅するトランジスタとを備えた水晶発振器であって、経時変化によって容量が低下する特性を備え、水晶振動子の他端に接続するエージング特性調整用コンデンサを設け、エージング特性調整用コンデンサが、経時変化によって発振周波数が変動する水晶振動子のエージング特性を相殺するよう調整されていることを特徴としている。
【００１２】
また、本発明は、上記水晶発振器において、エージング特性調整用コンデンサは、バリキャップダイオードであることを特徴としている。
【００１３】
また、本発明は、上記水晶発振器において、エージング特性調整用コンデンサは、複数の直列接続のコンデンサ又は複数の並列接続のコンデンサ若しくはそれらの組み合わせで構成されていることを特徴としている。
【００１４】
また、本発明は、上記水晶発振器において、複数のコンデンサの内のいずれかをバリキャップダイオードとしたことを特徴としている。
【００１５】
また、本発明は、上記水晶発振器において、エージング特性調整用コンデンサは、セラミックコンデンサ、電解コンデンサ、タンタルコンデンサ、マイラコンデンサ、フィルムコンデンサのいずれかであることを特徴としている。
【発明の効果】
【００１６】
本発明の水晶発振器によれば、水晶振動子と、水晶振動子の一端に接続し、水晶振動子の出力信号を増幅するトランジスタとを備えた水晶発振器であって、経時変化によって容量が低下する特性を備え、水晶振動子の他端に接続するエージング特性調整用コンデンサを設け、エージング特性調整用コンデンサが、経時変化によって発振周波数が変動する水晶振動子のエージング特性を相殺するよう調整されている水晶発振器としているので、エージング特性調整用コンデンサの容量低下の特性による水晶振動子の発振周波数の変動によって、水晶振動子が元来備えているエージング特性が補償され、優れたエージング特性を備え、小型化を図ることができる水晶発振器を低コストで実現できる効果がある。
【００１７】
また、本発明によれば、エージング特性調整用コンデンサが、バリキャップダイオードである上記水晶発振器としているので、実装後であってもエージング特性調整用コンデンサの容量を微調整することができ、水晶振動子のエージング特性に応じた最適な容量として、優れたエージング特性を備えた水晶発振器を実現できる効果がある。
【００１８】
また、本発明によれば、エージング特性調整用コンデンサは、複数の直列接続のコンデンサ又は複数の並列接続のコンデンサ若しくはそれらの組み合わせで構成されている上記水晶発振器としているので、水晶振動子のエージング特性に応じて容量抜け特性を最適化することができ、優れたエージング特性を備えた水晶発振器を実現できる効果がある。
【図面の簡単な説明】
【００１９】
【図１】本発明の実施の形態に係る水晶発振器の構成を示す回路図である。
【図２】水晶振動子のエージング特性の例を示す特性図である。
【図３】一般的なコンデンサの経年変化特性の例を示した特性図である。
【図４】調整用コンデンサの別の接続例を示す回路図である。
【図５】負荷容量に対する共振周波数オフセット量の一例を示す特性図である。
【発明を実施するための形態】
【００２０】
本発明の実施の形態について図面を参照しながら説明する。
［実施の形態の概要］
本発明の実施の形態に係る水晶発振器は、水晶振動子と接地端子との間に、経時変化によって容量が低下するコンデンサを設け、当該コンデンサによる水晶振動子の周波数変化が、水晶振動子のマイナス傾向のエージング特性を相殺するプラス傾向の特性となるように調整されているものであり、エージング特性の良好な水晶発振器を低コストで実現できるものである。
【００２１】
［実施の形態に係る水晶発振器：図１］
図１は、本発明の実施の形態に係る水晶発振器の構成を示す回路図である。
図１に示すように、本発明の実施の形態に係る水晶発振器（本水晶発振器）は、コルピッツ発振器であり、水晶振動子Ｘと、水晶振動子Ｘの発振周波数を増幅するトランジスタＴｒとを備え、トランジスタＴｒの一端に水晶振動子の一端が接続されている。
【００２２】
そして、トランジスタＴｒのコレクタには、抵抗Ｒ１を介して電源電圧が印加されると共にコンデンサＣ３の一端が接続され、コンデンサＣ３の他端は接地されている。
また、トランジスタＴｒのエミッタは、抵抗Ｒ２を介して接地され、ベースは、直列接続のコンデンサＣ１，Ｃ２を介して接地され、コンデンサＣ１，Ｃ２の間の点がトランジスタＴｒのエミッタに接続されて、出力端子が設けられている。
【００２３】
更に、抵抗Ｒ１の他端が、抵抗Ｒ３の一端に接続され、抵抗Ｒ３の他端が水晶振動子ＸとトランジスタＴｒのベースとの間の点に接続されると共に、抵抗Ｒ４の一端に接続されている。抵抗Ｒ４の他端は接地されている。
【００２４】
そして、本水晶発振器の特徴として、水晶振動子Ｘの他端が、エージング特性を調整するエージング特性調整用コンデンサ（以下「調整用コンデンサ」と記載する）Ｃ１０が接続され、調整用コンデンサＣ１０の他端は接地されている。
【００２５】
調整用コンデンサＣ１０は、水晶振動子Ｘのエージング特性による周波数変化を補償するものである。つまり、調整用コンデンサ１０は、水晶振動子Ｘのエージング特性とは逆の周波数変化を引き起こす特性を備えたものである。
尚、ここでは、説明を簡単にするために調整用コンデンサ１０を１つのコンデンサで構成した例について説明するが、後述するように調整用コンデンサ１０を複数のコンデンサの組み合わせとして構成することも可能である。
【００２６】
［水晶振動子のエージング特性：図２］
次に、水晶発振器に用いられる水晶振動子のエージング特性の例について図２を用いて説明する。図２は、水晶振動子のエージング特性の例を示す特性図である。
図２に示すように、水晶振動子の出力周波数は、長期間に亘る動作によって機械的なストレスが発散されることや、パッケージ内部の材料からの微量なアウトガスの発生により、設定周波数の値からのずれを生じる。
【００２７】
図２において、（Ａ）は、機械的ストレス発散によるエージング特性を示し、（Ｂ）は、パッケージ内のアウトガス発生によるエージング特性を示している。
水晶振動子全体のエージング特性（Ｃ）は、（Ａ）と（Ｂ）の特性の和として表され、長期（例えば数年間）における経時変化は、一般的に、設定周波数より低下するマイナス変動となる。
【００２８】
［コンデンサの経年変化特性：図３］
次に、一般的なコンデンサの経年変化特性について図３を用いて説明する。図３は、一般的なコンデンサの経年変化特性の例を示した特性図である。
図３に示すように、コンデンサは、時間と共に静電容量が低下する「容量抜け」が発生する。
本水晶発振器では、このコンデンサの容量抜けの特性を利用して、水晶振動子のエージング特性を補償して、水晶発振器のエージング特性の向上を図るものである。
【００２９】
［エージング特性調整用コンデンサの特性］
ここで、本水晶発振器のエージング特性調整用コンデンサＣ１０の特性について説明する。
調整用コンデンサＣ１０は、容量抜けを生じるコンデンサであり、図１に示したように水晶振動子Ｘと接地端子との間に設けられている。
経時変化によって調整用コンデンサＣ１０の静電容量が低下すると、水晶振動子の負荷容量が小さくなる。これは、水晶振動子Ｘの発振周波数をプラス側に変動させる要因となる。
【００３０】
［負荷容量の変化と周波数オフセットの関係：図５］
負荷容量の変化と発振周波数のオフセットとの関係を図５に示す。図５は、負荷容量に対する共振周波数オフセット量の一例を示す特性図である。
図５に示すように、負荷容量（ＣL）が小さくなると、周波数オフセット量（Δｆ／ｆ）は増加する。つまり、負荷容量の減少は、発振周波数をプラス側に変動させるものとなっている。
【００３１】
そこで、本水晶発振器では、予め水晶振動子Ｘのエージング特性を測定しておき、それに応じて、当該エージング特性を良好に相殺できるコンデンサの容量抜けの特性（容量抜け特性）のカーブを決定（算出）し、そのような容量抜け特性を備えたコンデンサを選択して、調整用コンデンサＣ１０として水晶振動子Ｘに接続する。
これにより、水晶振動子Ｘと調整用コンデンサＣ１０とのエージング特性が打ち消し合って、経年変化による水晶振動子Ｘの発振周波数の変動を抑え、水晶発振器のエージング特性を良好にすることができるものである。
【００３２】
調整用コンデンサＣ１０としては、セラミックコンデンサ、電解コンデンサ、タンタルコンデンサ、マイラコンデンサ、フィルムコンデンサ等の汎用品を利用することができ、容量抜け特性の他にも、要求されるサイズや実装のタイプ（表面実装かリードタイプか）を考慮して、適切なコンデンサを適宜選択する。
これにより、大きなパッケージも不要となり、エージング特性が良好で、且つ小型化を図ることができる水晶発振器を低コストで実現することが可能となるものである。
【００３３】
［応用例：図４］
本水晶発振器の応用例について図４を用いて説明する。図４は、調整用コンデンサの別の接続例を示す回路図である。尚、図４では、水晶振動子Ｘから接地端子までの構成を示しており、他の構成は図１と同様である。
図４（ａ）は、調整用コンデンサＣ１０としてバリキャップダイオードＤ１を備えた構成である。
バリキャップダイオードＤ１をコンデンサとして用いることにより、実装後であっても初期の容量を調整することができるものである。また、バリキャップダイオードＤ１は、経時変化によって容量抜けを起こすものであり、適切な容量抜け特性のバリキャップダイオードを用いることにより、水晶振動子Ｘのエージング特性を相殺できるものである。
【００３４】
また、１つのコンデンサだけでは良好なエージング特性が得られない場合には、複数のコンデンサを用いて、エージング特性調整用コンデンサとしてもよい。
図４（ｂ）（ｃ）は、エージング特性調整用コンデンサとして複数のコンデンサを備えた例であり、（ｂ）はコンデンサＣ１１とＣ１２を直列に接続した構成、（ｃ）はコンデンサＣ１３とＣ１４を並列に接続した構成を示している。
更に、３個以上のコンデンサを用いて、直列接続と並列接続を組み合わせた構成としてもよい。
【００３５】
調整用コンデンサを構成する各コンデンサの特性や接続方法を変えることにより、容量抜け特性を微調整して、複数のコンデンサによる出力周波数の経年変化を水晶振動子Ｘのエージング特性の反転特性に近いものとすることができ、水晶振動子Ｘのエージング特性を効率的に相殺して、水晶発振器のエージング特性を良好にすることができるものである。
【００３６】
更に、図示は省略するが、調整用コンデンサとしてバリキャップダイオードとコンデンサとを組み合わせて用いてもよく、水晶振動子の接地端子側に、バリキャップダイオードとコンデンサとを直列に接続した構成、又は並列に接続した構成、若しくはそれらを組み合わせた構成とすることも可能である。
いずれの場合も、用いられる水晶振動子Ｘのエージング特性を効果的に補償するような容量抜け特性となるよう調整された調整用コンデンサを設けることにより、水晶発振器のエージング特性を良好にすることができるものである。
【００３７】
［実施の形態の効果］
本発明の実施の形態に係る水晶発振器によれば、水晶振動子ＸとトランジスタＴｒとを備えたコルピッツ発振器であって、水晶振動子Ｘと接地端子との間に、経時変化によって静電容量が低下する（容量抜けを生じる）エージング特性調整用コンデンサＣ１０を備え、エージング特性調整用コンデンサＣ１０の容量抜け特性を最適化することにより、水晶振動子Ｘのマイナス方向のエージング特性を、エージング特性調整用コンデンサＣ１０の負荷容量の減少によるプラス方向のエージング特性で効率的に相殺して、水晶発振器の出力周波数のエージング特性を良好にすることができ、また、小型化を妨げず低コストで実現できる効果がある。
【００３８】
また、本水晶発振器によれば、エージング特性調整用コンデンサＣ１０をバリキャップダイオードＤ１で構成した水晶発振器としているので、実装後であっても容量の微調整を行うことができ、水晶振動子Ｘのエージング特性に応じた最適な容量抜け特性として、水晶振動子Ｘのエージング特性を良好に相殺し、良好なエージング特性を備えた水晶発振器を実現できる効果がある。
【００３９】
また、本水晶発振器によれば、エージング特性調整用コンデンサを複数のコンデンサの直列接続又は並列接続若しくはそれらの組み合わせで実現した構成としているので、水晶振動子Ｘのエージング特性に応じて容量抜け特性を微調整することができ、発振器のエージング特性を良好にすることができる効果がある。
【００４０】
更に、本水晶発振器によれば、複数のコンデンサのいずれかをバリキャップダイオードとしているので、水晶振動子Ｘのエージング特性に応じて容量抜け特性を微調整することができ、発振器のエージング特性を良好にすることができる効果がある。
【産業上の利用可能性】
【００４１】
本発明は、良好なエージング特性を備えると共に、低コストで、小型化を図ることができる水晶発振器に適している。
【符号の説明】
【００４２】
Ｘ...水晶振動子、  Ｔｒ...トランジスタ、  Ｃ１〜Ｃ３...コンデンサ、  Ｃ１０〜Ｃ１４...エージング特性調整用コンデンサ、  Ｒ１〜Ｒ４...抵抗、  Ｄ１...バリキャップダイオード
【図１】
2015035732.tif 000003
【図２】
2015035732.tif 000004
【図３】
2015035732.tif 000005
【図４】
2015035732.tif 000006
【図５】
2015035732.tif 000007